(57)【要約】      （修正有）【課題】本体の油汚れを簡易な作業により落とすことができ、持ち運びも容易となり、配色のバリエーションに富む調理用ホットプレートを提供する。【解決手段】加熱部を具える調理板と、調理板を被覆するための蓋部と、調理板と蓋部を装着可能とする上部開口箱体を呈する本体Ａとからなる調理用ホットプレートにおいて、本体Ａが上下二段に分割される第一本体部１と第二本体部２とからなり、第一本体部１と第二本体部２が嵌合自在に構成される。【選択図】図３
0003235250.tif 000002
【実用新案登録請求の範囲】
【請求項１】
加熱部を具える調理板と、当該調理板を被覆するための蓋部と、当該調理板と当該蓋部を装着可能とする上部開口箱体を呈する本体とからなる調理用ホットプレートにおいて、当該本体が上下二段に分割される第一本体部と第二本体部とからなり、当該第一本体部と当該第二本体部が嵌合自在に構成されることを特徴とする調理用ホットプレート。
【請求項２】
嵌合された前記第一本体部と前記第二本体部間に中空層が形成されることを特徴とする請求項１に記載された調理用ホットプレート。
【請求項３】
前記第一本体部と前記第二本体部を相互に異なる配色を施すことを特徴とする請求項１又は請求項２のいずれかに記載された調理用ホットプレート。
【考案の詳細な説明】
【技術分野】
【０００１】
本発明は、主として家庭用の調理用ホットプレートに関するものである。
【背景技術】
【０００２】
従来、家庭用の調理用ホットプレートは、調理対象を調理する調理板と当該調理板がセットされる調理用ホットプレート本体からなり、調理時に調理板の底面から加熱するために設けられる加熱部は、調理用ホットプレート本体に具えられる構成が採用されていることが一般的であった。
【先行技術文献】
【特許文献】
【０００３】
特開２００２−２９１６２１
【考案の概要】
【考案が解決しようとする課題】
【０００４】
しかしながら、上記のような構成を採用する調理用ホットプレートは、本体に加熱部が設けられていることなどから、本体に付着した油汚れなどを清掃する作業に手間を要しており、付着した汚れの完全な除去は困難であった。
【０００５】
また、加熱部を具える本体はかなりの重量となり、かつ、調理による熱伝導により表面温度も上昇し、持ち運びや移動の際に注意を要することとなった。
【０００６】
さらに、一体化した本体部は調理用ホットプレート全体の相当部分を占めることになるが、加熱部などを具える構成においては使用素材などの限定もあり、配色などのバリエーションも多くそろえることが難しかった。
【０００７】
本考案は、上記の課題を解決するためになされたものであって、本体の油汚れを簡易な作業により落とすことができ、持ち運びも容易となり、配色のバリエーションに富む調理用ホットプレートの提供を図ったものである。
【課題を解決するための手段】
【０００８】
本考案は請求項１に記載のように、  加熱部を具える調理板と、当該調理板を被覆するための蓋部と、当該調理板と当該蓋部を装着可能とする上部開口箱体を呈する本体とからなる調理用ホットプレートにおいて、当該本体が上下二段に分割される第一本体部と第二本体部とからなり、当該第一本体部と当該第二本体部が嵌合自在に構成されることを特徴とする調理用ホットプレートに係るものである。
【０００９】
本考案は請求項２に記載のように、嵌合された前記第一本体部と前記第二本体部間に中空層が形成されることを特徴とする請求項１に記載された調理用ホットプレートに係るものである。
【００１０】
本考案は請求項３に記載のように、前記第一本体部と前記第二本体部を相互に異なる配色を施すことを特徴とする請求項１又は請求項２のいずれかに記載された調理用ホットプレートに係るものである。
【考案の効果】
【００１１】
本考案は請求項１に記載のような構成の採用に基づき、本体と加熱部を具える調理板とを分割可能とすると共に本体部を二つの部材に分割可能としたため、各部を丸洗いするなど極めて簡易な作業により汚れを除去することができる調理用ホットプレートを提供することが可能となる。
【００１２】
本考案は請求項２に記載のような構成を採用したことにより、中空層が形成されることにより調理板から発する熱が本体外側へ伝導することを抑えることが可能となり、持ち運びなどの取り扱いが極めて至便化される調理用ホットプレートを提供することが可能となる。
【００１３】
本考案は請求項３に記載のような構成を採用したことにより、個性豊かな電気製品としてインテリアとしても映える調理用ホットプレートを提供することが可能となる。
【図面の簡単な説明】
【００１４】
【図１】本考案に係る調理用ホットプレートの全体を表す斜視図である。
【図２】本考案に係る調理用ホットプレートの蓋部を外した状態を示す斜視図である。
【図３】本考案に係る調理用ホットプレートの本体が分割される状態を示す斜視図である。
【図４】本考案に係る調理用ホットプレートの本体が嵌合された状態を示す断面概念図である。
【考案を実施するための形態】
【００１５】
添付図において、Ａは本体、１は第一本体部、２は第二本体部、Ｐは調理板、Ｃは蓋部、Ｅは中空層であって、調理状態においては、本体Ａの上部開口部に被せ合致する態様で調理板Ｐを収装装着して使用するものである。
【００１６】
また、調理の際の必要時においてまたは未使用時などにおいて、蓋部Ｃを調理板Ｐに被覆させることにより本体Ａに装着して使用するものである。
【００１７】
本体Ａは、上下方向に二段に分割可能となるように、第一本体部１と第二本体部２とから構成される。
【００１８】
第一本体部１と第二本体部２が装着された本体Ａの態様では、平面視において概ね長方形状を呈し、上部開口箱体を形成することにより、調理板Ｐ及び蓋Ｃが装着されるように構成されるが、具体的構成はかかる実施形態に限定されるものではない。    
【００１９】
本考案の技術的特徴は、本体Ａが上下二段に第一本体部１と第二本体部２に分割され、必要に応じ一体物となる構成を採用することにある。
【００２０】
第一本体部１と第二本体部２は、例えば、周縁部相互において嵌合自在に形成され、装着時には一体化し本体Ａを構成するが、具体的構成はかかる実施形態に限定されるものではない。
【００２１】
第一本体部１は、本体Ａの上面に位置する部分であり、平面視において概ね長方形状を呈し、上部開口箱体を形成することにより、調理板Ｐ及び蓋Ｃが装着されるように構成されるが、具体的構成はかかる実施形態に限定されるものではない。
【００２２】
第一本体部１は、加熱部を具える調理板が載置されるため、例えば、図に示すように、底内面中央部に長方形状の溝部が形成されることにより、調理板の底外面形態に対応するなど、調理板Ｐとの安定的合致を図る形態に形成される。
【００２３】
また、図に示すように、第一本体部１の一方の短辺側側壁部に孔が形成されることにより、調理板の一方短辺側に設けられる電源コード挿入部を挿通させることが可能となり、調理板Ｐとの安定的合致を図る形態に形成されている。
【００２４】
第二本体部２は、本体Ａの底面に位置する部分であり、平面視において概ね長方形状を呈し、上部開口平皿状体を形成することにより、第一本体部１が装着されるように構成されるが、具体的構成はかかる実施形態に限定されるものではない。
【００２５】
第二本体部２は、本体の安定的設置のため、底外面に複数の脚部を設けることが想定され、また、排熱のための複数の孔が設けることが想定される。
【００２６】
調理時や未使用時は、第一本体部１と第二本体部２は嵌合状態において合致装着されることにより本体Ａとなるが、調理後は本体Ａと加熱部を具える調理板を分割させることが出来、各本体部をそれぞれ丸洗いすることにより、調理時に付着した油汚れなどを容易に清掃することが可能となる。
【００２７】
また、第一本体部１と第二本体部２は嵌合状態において中空層Ｅが形成されることにより、加熱された調理板Ｐから発する熱が本体外側へ伝導することを抑えることが可能となるため、本体を素手で触ることが可能となる。
なお、本願における中空層とは、第一本体部１と第二本体部２が嵌合装着される状態において、隙間的空間を有することを意味するものであり、具体的構成はかかる実施形態に限定されるものではない。
【００２８】
さらに、本体を分割可能としたことにより、第一本体部１と第二本体部２は別個独立した部材として製造することが可能となり、それぞれの部材に独自の配色を設けることが極めて容易になる。
【００２９】
すなわち、従来のごとく、本体が一体化している構成では、複数の配色を施すことは作業面で煩雑であったが、分割された本体をそれぞれ別個に製造することにより配色作業は格段に容易となり、ある色彩を施した第一本体部１と、ある色彩を施した第二本体部を、適宜組み合わせることにより、多様なカラーバリエーションからなる調理用ホットプレートを容易に製造することが可能となる。
【００３０】
調理板Ｐは、調理対象を加熱調理するためにヒーターなどの加熱部を具えており、長方形状を呈し、例えば、底外面に発熱体収容部を突設し、一方短辺側に電源コード挿入部が突設されている。安定的載置を図るため、四隅に脚部設けることが想定される。
【００３１】
蓋部Ｃは、調理板Ｐを被覆可能となるような形態に形成され、上面に取っ手部が設けられることが想定される。
【符号の説明】
【００３２】
１    第一本体部
２    第二本体部
Ａ    本体
Ｐ    調理板
Ｃ    蓋部
Ｅ    中空層
【図１】
0003235250.tif 000003
【図２】
0003235250.tif 000004
【図３】
0003235250.tif 000005
【図４】
0003235250.tif 000006